(57)【要約】【課題】  高温動作時の水素側及び酸素側のガスシール部を確実かつ信頼性の高い構造とする高温水蒸気電解装置を提供する。【解決手段】  高温水蒸気電解装置は、少なくとも１個配設された筒状の水蒸気電解セル１と、水蒸気電解セル１の上方に設けられ水蒸気が供給される水蒸気供給室２と、水蒸気供給室２より垂下され水蒸気電解セル１の内側に水蒸気を供給する水蒸気注入管３と、水蒸気供給室３の下部に設けられ前記水素極２１で生成した水素を系外に取り出す生成水素排出室４と、生成水素排出室４の下部に設けられ酸素極の雰囲気を調整し生成した酸素を取り出す酸素生成室５と、水蒸気電解セル１の内側に配設された弾性給電端子２２と、酸素生成室５の内部に設けられた弾性給電端子３２と、を有する。【選択図】  図１
2006083428.tif 000002
【特許請求の範囲】
【請求項１】
内側に水素極を有し外側に酸素極を有し少なくとも１個配設されて下端を閉じた筒状の水蒸気電解セルと、
この水蒸気電解セルの上方に設けられ水蒸気が供給される水蒸気供給室と、
この水蒸気供給室より垂下され前記水蒸気電解セルの内側に水蒸気を供給する水蒸気注入管と、
前記水蒸気供給室の下部に設けられ前記水素極で生成した水素を系外に取り出す生成水素排出室と、
この生成水素排出室の下部に設けられ前記酸素極の雰囲気を調整し生成した酸素を取り出す酸素生成室と、
前記水蒸気電解セルの内側に配設され前記水素極に電解電流を供給する水素極弾性給電手段と、
前記酸素生成室の内部に設けられ前記酸素極に電解電流を供給する酸素極弾性給電手段と、
を有することを特徴とする高温水蒸気電解装置。
【請求項２】
前記水素極弾性給電手段は、導電性材料から形成される水蒸気注入管と前記水素極との間に設けられたニッケル、金及び白金から選択された１種または２種以上の合金から形成されたメッシュ又はバネを具備すること、を特徴とする請求項１記載の高温水蒸気電解装置。
【請求項３】
前記酸素弾性極給電手段は、前記水蒸気電解セルの外表面に、ニッケル、金及び白金から選択された１種または２種以上の合金から成る線材をらせん状に若しくはメッシュとして巻き付けて形成される集電体又は多孔質状の導電性酸化物から形成される集電体を具備すること、を特徴とする請求項１又は２記載の高温水蒸気電解装置。
【請求項４】
前記酸素弾性極給電手段は、前記水蒸気電解セルの外周面と前記酸素生成室の内部に設けられたガイド板との間に設けられた給電端子を具備すること、を特徴とする請求項１乃至３のいずれかに記載の高温水蒸気電解装置。
【請求項５】
前記水蒸気供給室と前記酸素生成室との間に絶縁層を介在させること、を特徴とする請求項１乃至４のいずれかに記載の高温水蒸気電解装置。
【請求項６】
前記水蒸気供給室から前記水素極に電解電流を供給し、さらに前記酸素生成室の外壁から前記酸素極に電解電流を供給すること、を特徴とする請求項１乃至５のいずれかに記載の高温水蒸気電解装置。
【請求項７】
前記水蒸気電解セルの下端と前記酸素生成室の内壁との間に、ニッケル、金及び白金から選択された１種または２種以上の合金から形成されたメッシュ又はバネを設けること、を特徴とする請求項１乃至６のいずれかに記載の高温水蒸気電解装置。
【請求項８】
前記生成水素排出室の壁面に固定するシール部に接する前記水蒸気電解セルの上部外側面及び前記生成水素排出室の壁面に円環状又はらせん状の刻み目を設けること、を特徴とする請求項１乃至７のいずれかに記載の高温水蒸気電解装置。
【請求項９】
内側に酸素極を有し外側に水素極を有し少なくとも１個配設されて下端を閉じた筒状の水蒸気電解セルと、
この水蒸気電解セルの上方に設けられ酸素極雰囲気が供給される酸素極雰囲気供給室と、
この酸素極雰囲気供給室より垂下され前記水蒸気電解セルの内側に酸素極雰囲気を供給する酸素極雰囲気注入管と、
前記酸素極雰囲気供給室の下部に設けられ前記酸素極の雰囲気を調整し生成した酸素を系外に取り出す生成酸素排出室と、
この生成酸素排出室の下部に設けられ前記水素極で生成した水素を取り出す水素生成室と、
前記水蒸気電解セルの内側に配設され前記酸素極に電解電流を供給する酸素極弾性給電手段と、
前記水素生成室の内部に設けられ前記水素極に電解電流を供給する水素極弾性給電手段と、
を有することを特徴とする高温水蒸気電解装置。
【請求項１０】
前記酸素極給弾性電手段は、導電性材料から形成される酸素極雰囲気注入管と前記酸素極との間に設けられたニッケル、金及び白金から選択された１種または２種以上の合金から形成されたメッシュ又はバネを具備すること、を特徴とする請求項９記載の高温水蒸気電解装置。
【請求項１１】
前記水素極弾性給電手段は、前記水蒸気電解セルの外表面に、ニッケル、金及び白金から選択された１種または２種以上の合金から成る線材をらせん状に若しくはメッシュとして巻き付けて形成される集電体又は多孔質状の導電性酸化物から形成される集電体を具備すること、を特徴とする請求項９又は１０記載の高温水蒸気電解装置。
【請求項１２】
前記酸素極弾性給電手段は、前記水蒸気電解セルの外周面と前記水素生成室の内部に設けられたガイド板との間に設けられた給電端子を具備すること、を特徴とする請求項９乃至１１のいずれかに記載の高温水蒸気電解装置。
【請求項１３】
前記酸素雰囲気供給室と前記水素生成室との間に絶縁層を介在させること、を特徴とする請求項９乃至１２のいずれかに記載の高温水蒸気電解装置。
【請求項１４】
前記酸素雰囲気供給室から前記酸素極に電解電流を供給し、さらに前記水素生成室の外壁から前記水素極に電解電流を供給すること、を特徴とする請求項９乃至１３のいずれかに記載の高温水蒸気電解装置。
【請求項１５】
前記水蒸気電解セルの下端と前記水素生成室の内壁との間に、ニッケル、金及び白金から選択された１種または２種以上の合金から形成されたメッシュ又はバネを設けること、を特徴とする請求項９乃至１４のいずれかに記載の高温水蒸気電解装置。
【発明の詳細な説明】
【技術分野】
【０００１】
本発明は、高温水蒸気電解セルをモジュール化する高温水蒸気電解装置に関する。
【背景技術】
【０００２】
この種の高温水蒸気電解法は、高温の水蒸気を電気分解し水素ガスと酸素ガスを得る方法で、その作動温度域の関連で固体電解質燃料電池の逆反応による電解法が知られている（例えば、特許文献１参照）。
【０００３】
特許文献１に開示されているように、水蒸気電解装置の主要構成部は、円筒型の電解セル並びに水蒸気供給室、生成水素排出室及び酸素生成室から構成される。
【０００４】
円筒型の電解セルの片端に電流リード用金属キャップを取り付け、この他端をシールキャップにより完全な閉構造としている。このため、円筒型の電解セルへの燃料の供給・排出は、一方の端部からのみ行う。また、生成水素排出室及び酸素生成室を区切る管板とのシール部において円筒型の電解セルを支持する構造となっている。
【０００５】
給電方法について説明する。水素極側リード部は、テーパ型シーリングを経由して取り出される。酸素極側リード部は、電解セルの下端のセルリード部がシールキャップに固定されて電解セルの内部に導入され、還元雰囲気を通って集電用金属キャップから取り出される。
【０００６】
このように構成された水蒸気電解装置においては、水素側／酸素側のガスシール部はセル上下の２箇所となり、かつ、このガスシール部は、いずれの場合でもセルリード部を含んだシール構造となっているため、確実で信頼性のあるシールの実現は困難である。
【特許文献１】特許第２９３０３２６号公報
【発明の開示】
【発明が解決しようとする課題】
【０００７】
上述した従来の高温水蒸気電解装置においては、水素と酸素とを隔てる部分のガスシールに関し、水素側及び酸素側のガスシール部がセル上下の２箇所となり、かつ、このガスシール部は、いずれの場合でもセルリード部が介在するシール構造となっているため、確実で信頼性のあるシールの実現が困難であった。
【０００８】
また、約９００℃の作動温度および酸化/還元雰囲気という動作条件下で電解を行う円筒型の電解セルに均一に電解電流を供給する構造に関する課題、つまり、水素極及び酸素極のセルリード部の取り出しが近接するため、大電流供給を必要とする高効率な高温水蒸気電解装置を構成する場合、発熱による断線等、故障の要因となる、という解決すべき課題があった。
【０００９】
さらに、約９００℃の作動温度および酸化/還元雰囲気という動作条件下で電解を行う円筒型の電解セル及び装置を構成する材料間の熱膨張率差を如何に吸収するかが、大きな課題である。
【００１０】
本発明は上記課題を解決するためになされたもので、高温動作時の水素側及び酸素側のガスシール部を確実かつ信頼性の高い構造とし、さらに電解セルの電極に均一に電解電流を供給できる高温水蒸気電解装置を提供することを目的とする。
【課題を解決するための手段】
【００１１】
上記目的を達成するため、本発明の高温水蒸気電解装置においては、内側に水素極を有し外側に酸素極を有し少なくとも１個配設されて下端を閉じた筒状の水蒸気電解セルと、この水蒸気電解セルの上方に設けられ水蒸気が供給される水蒸気供給室と、この水蒸気供給室より垂下され前記水蒸気電解セルの内側に水蒸気を供給する水蒸気注入管と、前記水蒸気供給室の下部に設けられ前記水素極で生成した水素を系外に取り出す生成水素排出室と、この生成水素排出室の下部に設けられ前記酸素極の雰囲気を調整し生成した酸素を取り出す酸素生成室と、前記水蒸気電解セルの内側に配設され前記水素極に電解電流を供給する水素極弾性給電手段と、前記酸素生成室の内部に設けられ前記酸素極に電解電流を供給する酸素極弾性給電手段と、を有することを特徴とする。
【００１２】
また、上記目的を達成するため、本発明の高温水蒸気電解装置においては、内側に酸素極を有し外側に水素極を有し少なくとも１個配設されて下端を閉じた筒状の水蒸気電解セルと、この水蒸気電解セルの上方に設けられ酸素極雰囲気が供給される酸素極雰囲気供給室と、この酸素極雰囲気供給室より垂下され前記水蒸気電解セルの内側に酸素極雰囲気を供給する酸素極雰囲気注入管と、前記酸素極雰囲気供給室の下部に設けられ前記酸素極の雰囲気を調整し生成した酸素を系外に取り出す生成酸素排出室と、この生成酸素排出室の下部に設けられ前記水素極で生成した水素を取り出す水素生成室と、前記水蒸気電解セルの内側に配設され前記酸素極に電解電流を供給する酸素極弾性給電手段と、前記水素生成室の内部に設けられ前記水素極に電解電流を供給する水素極弾性給電手段と、を有することを特徴とする。
【発明の効果】
【００１３】
本発明によれば、水素及び酸素のガスリークを防止すると共に、水蒸気電解セルの電極に均一に電解電流を供給し、さらに、水蒸気電解セル及び装置を構成する材料間の熱膨張率差を吸収することにより、ガスシールの信頼性が高く、強固な構造を持ち更に大電力供給を可能とする高温水蒸気電解装置を提供することができる。
【発明を実施するための最良の形態】
【００１４】
以下、本発明に係る高温水蒸気電解装置の実施の形態について、図１乃至図６を参照して説明する。ここで、同一又は類似の部分には共通の符号を付すことにより、重複説明を省略する。
【００１５】
まず、本発明の第１の実施の形態について説明する。
【００１６】
図１は、本発明による第１の実施の形態の高温水蒸気電解装置の構成を示す概略縦断面図である。
【００１７】
図１に示すように、高温水蒸気電解装置には、単数又は複数の筒状水蒸気電解セル１，１ａが配設されている。ここでは、一例として、円筒型水蒸気電解セル１（以下「円筒セル」という。）について説明する。
【００１８】
円筒セル１，１ａは、下端を閉じ、内側に水素極２１、外側に酸素極３１を有する。
【００１９】
高温水蒸気電解装置の上部には、水蒸気供給室２が構築されている。この水蒸気供給室２には、水蒸気４１が供給され、この水蒸気４１は、水蒸気注入管３を経由して円筒セル１の水素極２１に供給される。
【００２０】
直流電源４５により、水素極２１に負側、酸素極３１に正側の電圧をかける。すると、水蒸気の電気分解によって、水素極２１に水素、酸素極３１に酸素が発生する。
【００２１】
円筒セル１、１ａの水素極２１において電極反応によりで生成した水素４２は、水蒸気供給室２の下部に構成された生成水素排出室４に排出され、最終的に系外に取り出される。
【００２２】
この生成水素排出室４の下部には、酸素生成室５が構成され、空気等の酸素極雰囲気４３が供給される。この酸素極雰囲気４３は、円筒セル１の外側の酸素極３１側の雰囲気を調整し、さらに、円筒セル１，１ａの酸素極３１において電極反応により生成した酸素４４は系外に取り出される。
【００２３】
この円筒セル１は、全体を均一に形成したもので、図２に詳細を示す。内側は、水素極２１からなる内壁より形成され、負極となる。この水素極２１からなる内壁の外周面に、固体電解質型の電解質３５からなる電解質層が形成される。
【００２４】
この電解質３５からなる電解質層の外周面に、酸素極３１からなる正極が更に形成される。この酸素極３１からなる酸素極層の外周面に、集電体２３として機能するメッシュが外壁として形成される。すなわち、円筒セル１の外側にある酸素極３１の表面に、金又は白金から形成されるメッシュを巻き付けることにより集電体２３を形成し、酸素極３１の電極面全体に電解電流を均一に供給することができる。ここで、このメッシュの代わりに、金又は白金の線をらせん状に巻き付けた構造やフェルト状の構造、あるいは多孔質状の導電性酸化物等の導電性でかつ弾性の部材を使用して集電体２３を形成してもよい。
【００２５】
このように、円筒型水蒸気電解セル１は、内側から水素極２１、電解質３５、酸素極３１、集電体２３から成る層が密着性良く形成されている。
【００２６】
他の構成の円筒セル１ａについて、図３に示す。図３は、図２の構成の変形例で、主に、図２と相違する構成について説明する。円筒セル１ａは、図２に示す円筒セル１と同等の熱膨張率を有する支持管６を円筒セル１の上部に予め接合して形成したものである。支持管６を使用するときは、支持管６の内側と外側とは絶縁しておく必要がある。また、円筒セル１の外側の酸素極３１と酸素生成室５の壁面とは、支持管６の外側表面に導電性を持たせるか又は別途設けるリード線等で両者を接続することにより、導通を保つことが必要である。
【００２７】
酸素生成室５の中には、ガイド板７が設けられている。このガイド板７は、導電性材料で形成され、酸素生成室５の壁から円筒セル１、１ａの周辺まで伸びている。このガイド板７を設置しても、ガイド板７により形成された上下の部屋は開放されている。
【００２８】
円筒セル１、１ａは、一例として図１に示すように、ニッケル、金及び白金から選択された１種または２種以上の合金から形成されバネ状に加工した弾性給電端子３２を介して側面から固定される。
【００２９】
また、円筒セル１の内側には、例えば、ニッケル、金及び白金から選択された１種又は２種以上の合金から形成されバネ状に加工した弾性給電端子２２が配設される。この弾性給電端子２２により、円筒セル１、１ａ内の水素極２１と水蒸気注入管３とを接触させる。このバネ状の弾性給電端子２２は、円筒セル１内側の水蒸気４１の流れ又は温度変化に伴う円筒セル１と水蒸気供給管３との相対的な位置変化を妨げないよう、円筒セル１の中心から放射状に隙間を設けてもよい。また、このバネ状の弾性給電端子２２の代わりに、メッシュやフェルト状の構造を持つ給電端子を使用してもよい。
【００３０】
本実施形態において、水蒸気導入管３及びガイド板７を導電性材料で形成しているので、この水蒸気導入管３及びガイド板７は、円筒セル１の内側にある水素極２１及び円筒セル１の外側にある酸素極３１に電解電流を供給するための電流リード端子として使用することができる。このとき、水蒸気供給室２と酸素生成室５との間に絶縁層８を介在させることにより、水素極２１と酸素極３１との短絡を防止する必要がある。
【００３１】
また、水蒸気供給室２と水蒸気注入管３とを接続し、酸素生成室５とガイド板７とを電気的に接続することにより、水蒸気供給室２の容器外壁から円筒セル１の水素極２１に電解電流を供給することができる。また、酸素生成室５の外壁から円筒セルの酸素極３１に電解電流を供給することができる。
【００３２】
また、円筒セル１、１ａの閉端部先端と酸素生成室５の内壁との間に、例えば、フェルト状の白金から形成される弾性給電端子５２を設置し、電気的接触を確保すると共に、円筒セル１、１ａの固定を先端及び根元の２点で行うことにより、さらに構造的安定性を向上させることができる。
【００３３】
また、円筒セル１、１ａの開放部は、生成水素排出室４の壁面にガラス及びセラミックス複合材等から形成されるシール材９を介して固定される。このシール材９に接する円筒セル１の接続部１０及び生成水素排出室４のセル接続部１１には、予め円環状又はらせん状の刻み目を設けることにより、ガスリークを効果的に防止すると共に円筒セル１、１ａを生成水素排出室４の壁面により強固に固定することが可能である。
【００３４】
本実施形態によれば、水素及び酸素のガスリークを防止すると共に、円筒セル１の電極に均一に電解電流を供給し、さらに、円筒セル１及び装置を構成する材料間の熱膨張率差を吸収することにより、ガスシールの信頼性が高く、強固な構造を持ち更に大電力供給を可能とする高温水蒸気電解装置を製造することができる。
【００３５】
なお、図１では、一つの高温水蒸気電解装置に２種類の円筒セル１及び１ａを並列に配置した例を示すが、円筒セル１または１ａの一方のみを１個だけ又は複数個配置してもよい。
【００３６】
次に、本発明の第２の実施の形態について説明する。
【００３７】
図４は、本発明による第２の実施の形態の高温水蒸気電解装置の構成を示す概略縦断面図である。
【００３８】
図４に示すように、高温水蒸気電解装置には、単数又は複数の円筒セル５１、５１ａが配設されている。この円筒セル５１、５１ａは、一端を閉じ、内側に酸素極３１、外側に水素極２１を有する。
【００３９】
すなわち、この円筒セル５１、５１ａは、図１記載の円筒セル１、１ａと比較して、酸素極３１、水素極２１が、内側と外側とが逆に配設されている。
【００４０】
高温水蒸気電解装置の上部には、酸素極雰囲気供給室１２が構築されている。この酸素極雰囲気供給室１２には、円筒セル５１、５１ａの内側の酸素極３１側の雰囲気を調整するために、空気等の酸素極雰囲気４３が供給される。
【００４１】
この酸素極雰囲気供給室１２に供給された空気等の酸素極雰囲気４３は、酸素極雰囲気管１３を経由して円筒セル５１、５１ａの内側の酸素極３１に供給される。
【００４２】
この酸素極雰囲気供給室１２の下部には、生成酸素排出室１４が構築される。円筒セル５１、５１ａの酸素極３１において電極反応により生成した酸素４４は、生成酸素排出室１４に排出され、最終的に系外に取り出される。
【００４３】
生成酸素排出室１４の下部には、水素生成室１５が配設されている。この水素生成室１５には、水蒸気４１が供給される。この供給された水蒸気４１は、円筒セル５１、５１ａ外側の水素極２１において電極反応する。この電極反応により生成した水素４２は、水素生成室１５に排出され、最終的に生成水素４２の取出口より回収される。
【００４４】
この円筒セル５１は、全体を均一に形成したもので、図５に詳細を示す。内側は、酸素極３１からなる内壁より形成され、正極を示す。この酸素極３１からなる内壁の外周面に、固体電解質型の電解質３５からなる電解質層が形成される。
【００４５】
この電解質３５からなる電解質層の外周面に、水素極２１からなる負極が更に形成される。この水素極２１からなる水素極層の外周面に、集電体２３として機能するメッシュが外壁として形成される。この集電体２３は、円筒セル５１の外側の水素極２１の表面に、ニッケル、金及び白金から選択された１種または２種以上の合金から形成されるメッシュを巻き付けることにより形成され、水素極２１の電極面全体に電解電流を均一に供給することができる。ここで、メッシュの代わりに、金又は白金製の線をらせん状に巻きつけた構造やフェルト状の構造又は多孔質状の導電性酸化物を使用して集電体２３を形成することができる。
【００４６】
このように、円筒セル５１は、内側から酸素極３１、電解質３５、水素極２１、集電体２３から成る層が密着性良く形成されている。
【００４７】
他の構成の円筒セル５１ａについて、図６に示す。図６は、図５の構成に追加するものであり、主に、図５と相違する構成について説明する。円筒セル５１ａは、図５に示す円筒セル５１と同等の熱膨張率を有する支持管６を円筒セル５１の上部に予め接合して形成したものである。支持管６を使用するときは、支持管６の内側と外側とは絶縁しておく必要がある。また、円筒セル５１ａの外側の水素極２１と水素生成室１５の壁面とは、支持管６の外側表面に導電性を持たせるか、又は別途設けるリード線等で両者を接続することにより、導通を保つことが必要である。
【００４８】
水素生成室１５の中にはガイド板７が設けられている。このガイド板７と円筒セル５１ａの側面とは、例えば、ニッケル、金及び白金から選択された１種又は２種以上の合金から形成されバネ状に加工した弾性給電端子３２ａを介して固定される。  円筒セル５１、５１ａの内側には、例えば、ニッケル、金及び白金から選択された１種又は２種以上の合金から形成されバネ状に加工した弾性給電端子２２ａを設け、円筒セル５１の酸素極３１と酸素極雰囲気注入管１３とを接触させる。このバネ状弾性給電端子２２ａは、円筒セル５１、５１ａの内側の水蒸気ガスの流れや温度変化に伴う円筒セル５１、５１ａと酸素極雰囲気注入管１３との相対的な位置変化を妨げないよう、円筒セル５１、５１ａの中心から放射状に隙間を設けてもよい。また、これらのバネ状弾性給電端子２２ａの代わりに、メッシュやフェルト状の構造を持つ給電端子を使用してもよい。
【００４９】
本実施の形態おいて、酸素極雰囲気注入管１３及びガイド板７を導電性材料より形成しているので、円筒セル５１，５１ａの内側に存在する酸素極３１及び円筒セル５１の外側に存在する水素極２１に電解電流を供給するための電流リード端子として用いることが可能である。このとき、酸素極雰囲気供給室１２と水素生成室１５とは、絶縁層８を介在させることにより、水素極２１と酸素極３１との短絡を防止する必要がある。
【００５０】
また、酸素極雰囲気供給室１２と酸素極雰囲気注入管１３とを電気的に接続し、酸素極雰囲気供給室１２の容器外壁から円筒セル１の酸素極雰囲気供給室１２に電解電流を供給することができる。また、水素生成室１５とガイド板７とを電気的に接続することにより、水素生成室１５の外壁から円筒セルの水素極２１に電解電流を供給することができる。
【００５１】
また、円筒セル５１、５１ａの閉端部先端と水素生成室１５の内壁との間に、例えば、フェルト状のニッケル又は白金からなる弾性給電端子５２ａを設置し、電気的接触を確保すると共に円筒セル５１、５１ａの固定を先端と根元の２点で行うことにより、構造的安定性を向上させることができる。
【００５２】
また円筒セル５１、５１ａの開端部は、生成酸素排出室１４の壁面にガラス及びセラミックス複合材等から形成されるシール材９を介して固定される。このシール材９に接する円筒セル５１、５１ａの接続部１０及び生成酸素排出室１４のセル接続部１６に、予め円環状又はらせん状の刻み目を設けることにより、ガスリークを効果的に防止すると共に、円筒セル５１、５１ａを生成酸素排出室１４の壁面により強固に固定することが可能である。
【００５３】
本実施の形態により、水素と酸素とのガスリークを防止すると共に、セル電極に均一に電解電流を供給し、さらに、円筒セルと装置を構成する材料間との熱膨張率差を吸収することにより、ガスシールの信頼性が高く、強固な構造を持ち更に大電力供給を可能とする高温水蒸気電解装置を製造することができる。
【図面の簡単な説明】
【００５４】
【図１】本発明による第１の実施の形態の高温水蒸気電解装置の構成を示す概略縦断面図。
【図２】図１の円筒型水蒸気電解セルの構成を示す縦断面図。
【図３】図１の円筒型水蒸気電解セルの他の構成を示す縦断面図。
【図４】本発明による第２の実施の形態の高温水蒸気電解装置の構成を示す概略縦断面図。
【図５】図４の円筒型水蒸気電解セルの構成を示す縦断面図。
【図６】図４の円筒型水蒸気電解セルの他の構成を示す縦断面図。
【符号の説明】
【００５５】
１，１ａ、５１，５１ａ…円筒型水蒸気電解セル、２…水蒸気供給室、３…水蒸気注入管、４…生成水素排出室、５…酸素生成室、６…支持管、７…ガイド板、８…絶縁層、９…シール材、１０…円筒セルの接続部、１１…生成水素排出室のセル接続部、１２…酸素極雰囲気供給室、１３…酸素極雰囲気注入管、１４…生成酸素排出室、１５…水素生成室、１６…生成酸素排出室のセル接続部、２１…水素極、２２、２２ａ，３２，３２ａ，５２，５２ａ…弾性給電端子、２３…集電体、３１…酸素極、３５…電解質、４１…水蒸気、４２…生成水素、４３…酸素極雰囲気、４４…生成酸素、４５…直流電源。
【図１】
2006083428.tif 000003
【図２】
2006083428.tif 000004
【図３】
2006083428.tif 000005
【図４】
2006083428.tif 000006
【図５】
2006083428.tif 000007
【図６】
2006083428.tif 000008